【手続補正書】
【提出日】令和3年6月25日(2021.6.25)
【手続補正１】
【補正対象書類名】特許請求の範囲
【補正対象項目名】全文
【補正方法】変更
【補正の内容】
【特許請求の範囲】
【請求項１】
印刷装置と、Ｗｅｂサービスを提供するサーバと通信可能な情報処理装置のコンピュータを、
前記印刷装置から、前記印刷装置の装置情報を取得する取得手段、
前記印刷装置のユーザインタフェース画面を表示する表示手段、
前記ユーザインタフェース画面により前記Ｗｅｂサービスへの登録指示を受け付けたことに応じて、前記取得手段により取得された前記印刷装置の装置情報を前記サーバへ送信する送信手段、
前記印刷装置に対して、前記Ｗｅｂサービスに関する所定の設定の実行を指示する指示手段、
として機能させ、
前記送信手段による送信と前記指示手段による指示の両方が、前記登録指示に応じて実行されることを特徴とするプログラム。
【請求項２】
前記表示手段は、前記印刷装置から取得された、前記ユーザインタフェース画面を表示するための表示用データに基づき、Ｗｅｂブラウザにより、前記ユーザインタフェース画面を表示することを特徴とする請求項１に記載のプログラム。
【請求項３】
前記取得手段は、前記表示用データと前記装置情報とをともに取得することを特徴とする請求項２に記載のプログラム。
【請求項４】
前記指示手段による前記所定の設定の実行の指示のための情報は、前記印刷装置の装置情報と前記表示用データの取得の際に前記印刷装置から取得される、
ことを特徴とする請求項３に記載のプログラム。
【請求項５】
前記指示手段による指示が、前記送信手段による送信に基づく応答に応じて実行されることを特徴とする請求項４に記載のプログラム。
【請求項６】
前記応答は、前記送信手段により送信された前記印刷装置の装置情報の登録が行われたことの通知であることを特徴とする請求項５に記載のプログラム。
【請求項７】
前記送信手段はさらに、前記所定の設定の実行の指示のための情報を送信することを特徴とする請求項１乃至６のいずれか１項に記載のプログラム。
【請求項８】
前記印刷装置の装置情報の登録が行われたことの通知として、前記所定の設定の実行の指示のための情報を含む第２の表示用データを前記サーバから受信する受信手段、
前記受信手段により受信した前記第２の表示用データに基づいて第２のユーザインタフェース画面を表示する第２の表示手段、
としてさらにコンピュータを機能させることを特徴とする請求項７に記載のプログラム。
【請求項９】
前記Ｗｅｂサービスのメニュー画面を表示する第３の表示用データを前記サーバから受信する第２の受信手段、
前記第２の受信手段により受信した前記第３の表示用データに基づいて第３のユーザインタフェース画面を表示する第３の表示手段、
としてさらにコンピュータを機能させることを特徴とする請求項８に記載のプログラム。
【請求項１０】
前記受信手段は、前記メニュー画面におけるメニューの選択の後、前記サーバから前記第２の表示用データを受信することを特徴とする請求項９に記載のプログラム。
【請求項１１】
前記第２の表示用データは、前記Ｗｅｂサービスへの登録の途中であることを表示するためのデータであることを特徴とする請求項８乃至１０のいずれか１項に記載のプログラム。
【請求項１２】
前記第２の表示用データに含まれる前記所定の設定の実行の指示のための情報は表示されないことを特徴とする請求項８乃至１１のいずれか１項に記載のプログラム。
【請求項１３】
前記印刷装置から前記所定の設定の実行の終了の通知を前記印刷装置から受信すると、前記Ｗｅｂサービスへの登録の終了を表示する第４の表示手段、としてさらにコンピュータを機能させることを特徴とする請求項１乃至１２のいずれか１項に記載のプログラム。
【請求項１４】
前記指示手段は、前記所定の設定の実行の指示のための情報としての、前記印刷装置におけるＡＰＩのＵＲＬを送信することを特徴とする請求項１乃至１３のいずれか１項に記載のプログラム。
【請求項１５】
前記ユーザインタフェース画面での前記Ｗｅｂサービスへの登録指示は、アイコンの選択であり、
当該アイコンには、前記サーバの宛先および前記印刷装置の装置情報がハイパーリンクとして設定されている、
ことを特徴とする請求項１乃至１４のいずれか１項に記載のプログラム。
【請求項１６】
前記印刷装置の装置情報は、前記印刷装置のシリアルナンバーであることを特徴とする請求項１乃至１５のいずれか１項に記載のプログラム。
【請求項１７】
印刷装置と、Ｗｅｂサービスを提供するサーバと通信可能な情報処理装置において実行される通信方法であって、
前記印刷装置から、前記印刷装置の装置情報を取得する取得工程と、
前記印刷装置のユーザインタフェース画面を表示する表示工程と、
前記ユーザインタフェース画面により前記Ｗｅｂサービスへの登録指示を受け付けたことに応じて、前記取得工程において取得された前記印刷装置の装置情報を前記サーバへ送信する送信工程と、
前記印刷装置に対して、前記Ｗｅｂサービスに関する所定の設定の実行を指示する指示工程と、を有し、
前記送信工程における送信と前記指示工程における指示の両方が、前記登録指示に応じて実行されることを特徴とする通信方法。
【請求項１８】
印刷装置と、Ｗｅｂサービスを提供するサーバと、情報処理装置とを含むシステムであって、
前記情報処理装置は、
前記印刷装置のユーザインタフェース画面を表示するための表示用データと、前記印刷装置の装置情報および前記印刷装置の初期設定の実行の指示のための情報と、を前記印刷装置から受信する受信手段と、
前記印刷装置から、前記印刷装置の装置情報を取得する取得手段と、
前記印刷装置のユーザインタフェース画面を表示する表示手段と、
前記ユーザインタフェース画面により前記Ｗｅｂサービスへの登録指示を受け付けたことに応じて、前記取得手段により取得された前記印刷装置の装置情報を前記サーバへ送信する第１送信手段と、
前記印刷装置に対して、前記Ｗｅｂサービスに関する所定の設定の実行を指示する指示手段と、を備え、
前記印刷装置は、
前記表示用データと、前記印刷装置の装置情報および前記印刷装置の初期設定の実行の指示のための情報と、を前記情報処理装置に送信する第２送信手段と、
前記印刷装置の装置情報を前記情報処理装置に送信する第３送信手段と、
前記Ｗｅｂサービスに関する所定の設定の実行の指示に基づいて、前記所定の設定を実行する実行手段、を備え、
前記第１送信手段による送信と前記指示手段による指示の両方が、前記登録指示に応じて実行されることを特徴とするシステム。
【手続補正２】
【補正対象書類名】明細書
【補正対象項目名】発明の名称
【補正方法】変更
【補正の内容】
【発明の名称】プログラム、通信方法、およびシステム
【手続補正３】
【補正対象書類名】明細書
【補正対象項目名】０００１
【補正方法】変更
【補正の内容】
【０００１】
本発明は、Ｗｅｂサービスへの登録を実行可能なプログラム、通信方法、およびシステムに関する。
【手続補正４】
【補正対象書類名】明細書
【補正対象項目名】０００６
【補正方法】変更
【補正の内容】
【０００６】
本発明の目的は、このような従来の問題点を解決することにある。上記の点に鑑み、本発明は、Ｗｅｂサービスを利用する場合の利便性を向上させるプログラム、通信方法、およびシステムを提供することを目的とする。
【手続補正５】
【補正対象書類名】明細書
【補正対象項目名】０００７
【補正方法】変更
【補正の内容】
【０００７】
上記課題を解決するため、本発明に係るプログラムは、印刷装置と、Ｗｅｂサービスを提供するサーバと通信可能な情報処理装置のコンピュータを、前記印刷装置から、前記印刷装置の装置情報を取得する取得手段、前記印刷装置のユーザインタフェース画面を表示する表示手段、前記ユーザインタフェース画面により前記Ｗｅｂサービスへの登録指示を受け付けたことに応じて、前記取得手段により取得された前記印刷装置の装置情報を前記サーバへ送信する送信手段、前記印刷装置に対して、前記Ｗｅｂサービスに関する所定の設定の実行を指示する指示手段、として機能させ、前記送信手段による送信と前記指示手段による指示の両方が、前記登録指示に応じて実行されることを特徴とする。